【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
間接印刷装置内で使用するための画像転写システムであって、
第１の全長、及び第１の直径を有する円筒体を含む第１のローラと、
第２の全長、及び第２の直径を有する円筒体を含む第２のローラであって、前記第１の全長、及び前記第２の全長は、実質的に同じであり、前記第１の直径は、前記第２の直径よりも大きく、前記第２のローラは、前記第１のローラと係合し、且つ係合解除して、前記第１のローラの第１の端、及び第２の端に圧力をかけるよう設定される、第２のローラと、
少なくとも第２のローラの一部を、前記第１のローラと少なくとも１つの他の回転ローラとの間に挟むよう配置される前記少なくとも１つの他の回転ローラであって、前記少なくとも１つの他の回転ローラは、前記第１の全長、及び前記第２の全長より実質的に短い第３の全長を有する円筒体を含み、前記第２のローラを介して、前記第１のローラの前記第１の端と、前記第２の端との間の少なくとも１つの位置に、圧力をかけるよう設定される、少なくとも１つの他の回転ローラと、
前記第２のローラと動作可能に接続された少なくとも１つのアクチュエータと、
前記少なくとも１つの他の回転ローラと動作可能に接続された少なくとも１つの他のアクチュエータと、
前記少なくとも１つのアクチュエータ及び前記少なくとも１つの他のアクチュエータと動作可能に接続された制御装置であって、しわパラメータを参照して前記少なくとも１つのアクチュエータを操作して前記第２のローラの前記第１の端及び前記第２の端に第１の圧力をかけ、前記少なくとも１つの他のアクチュエータを操作して前記少なくとも１つの他の回転ローラに第２の圧力をかけるよう設定され、前記しわパラメータが縦のしわを示すことに応じ前記第２の圧力が前記第１の圧力よりも大きく設定され、前記しわパラメータが横のしわを示すことに応じ前記第２の圧力が前記第１の圧力よりも小さく設定される、制御装置と、
を含む画像転写システム。
【請求項２】
前記少なくとも１つの他の回転ローラが、単一の回転ローラであり、少なくとも前記第２のローラの一部を、前記第１のローラと前記単一の回転ローラとの間に挟むよう配置され、前記第１のローラの前記第１の端と、前記第２の端との間のほぼ中間の位置に配置される、請求項１に記載の画像転写システム。
【請求項３】
前記少なくとも１つの他の回転ローラが、少なくとも２つの他の回転ローラであり、少なくとも前記第２のローラの一部を前記第１のローラと、前記少なくとも２つの他の回転ローラとの間に挟むよう配置され、前記少なくとも２つの他の回転ローラはそれぞれ、前記第２のローラの前記円筒体の外周上で異なる位置に配置される、請求項１に記載の画像転写システム。
【請求項４】
前記少なくとも１つの回転ローラが、前記第２のローラの前記円筒体内に配置され、前記少なくとも１つの回転ローラと、前記第１のローラとの間の前記円筒体に圧力をかけるよう設定される、請求項１に記載の画像転写システム。
【請求項５】
前記制御装置がさらに、印刷される画像に関する前記しわパラメータを特定するよう設定される、請求項１に記載の画像転写システム。
【請求項６】
前記制御装置がさらに、前記印刷される画像を印刷する際に使われるインクの量及び配分を参照して前記しわパラメータを特定するよう設定される、請求項５に記載の画像転写システム。
【請求項７】
前記制御装置がさらに、印刷される画像内のインクの位置を参照して前記印刷される画像の前記しわパラメータを特定するよう設定される、請求項５に記載の画像転写システム。
【請求項８】
前記制御装置に動作可能に接続されたユーザインターフェース、をさらに含み、
前記制御装置が、前記ユーザインターフェースからデータを受信して前記しわパラメータを特定するよう設定される、請求項５に記載の画像転写システム。
【請求項９】
前記第１のローラの前記円筒体、及び前記第２のローラの前記円筒体のうちの少なくとも１方が薄い壁を含む、請求項１に記載の画像転写システム。
【請求項１０】
印刷装置を操作してインク画像をインク受像部材から媒体へ転写する方法であって、
薄い壁を含む第１のローラを移動させて前記画像受像部材と係合させることにより、ニップを形成することと、
制御装置により少なくとも１つのアクチュエータを操作して前記第１のローラの第１の端及び第２の端に第１の圧力をかけることと、
前記制御装置により少なくとも１つの他のアクチュエータを操作して前記第１のローラと前記第１のローラの前記第１の端及び前記第２の端の間で接触する少なくとも１つの他のローラに第２の圧力をかけることであって、ここで、前記制御装置は、しわパラメータを参照して前記少なくとも１つのアクチュエータ及び前記少なくとも１つの他のアクチュエータを操作し、前記しわパラメータが縦のしわを示すことに応じて前記第２の圧力を前記第１の圧力よりも大きく設定し、前記しわパラメータが横のしわを示すことに応じて前記第２の圧力を前記第１の圧力よりも小さく設定することと、を含む画像転写方法。
【請求項１１】
前記少なくとも１つの他のローラが、単一の回転ローラである、請求項１０に記載の方法。
【請求項１２】
前記単一の回転ローラが、前記第１のローラの前記第１の端と、前記第２の端との間のほぼ中間の位置に配置される、請求項１１に記載の方法。
【請求項１３】
前記少なくとも１つの他のローラが、少なくとも２つの回転ローラであり、前記少なくとも２つの回転ローラはそれぞれ、前記第１のローラの円筒体の外周上で異なる位置に配置される、請求項１０に記載の方法。
【請求項１４】
前記単一の回転ローラが、前記第１のローラの前記円筒体内に配置される、請求項１１に記載の方法。
【請求項１５】
印刷される画像に関する前記しわパラメータを特定することをさらに含む、請求項１０に記載の方法。
【請求項１６】
前記印刷される画像を印刷する際に使われるインクの量及び配分を参照して前記しわパラメータを特定することをさらに含む、請求項１５に記載の方法。
【請求項１７】
前記印刷される画像内のインクの位置を参照して前記しわパラメータを特定することをさらに含む、請求項１５に記載の方法。
【請求項１８】
ユーザインターフェースからデータを受信して前記しわパラメータを特定することをさらに含む、請求項１５に記載の方法。
【請求項１９】
画像転写システム内に取り付けるよう設定される交換可能ユニットであって、
第１の全長、及び薄い壁を有する円筒体を含む第１のローラと、
前記第１の全長より実質的に短い第２の全長を有する円筒体を含む少なくとも１つの他の回転ローラであって、前記第１のローラ上の第１の位置に圧力をかけて、前記第１のローラと、別のローラとの間に形成されるニップの部分に、前記圧力を転移させるよう設定される少なくとも１つの他のローラと、
前記第１のローラと動作可能に接続された少なくとも１つのアクチュエータと、
前記少なくとも１つの他のローラと動作可能に接続された少なくとも１つの他のアクチュエータと、
前記少なくとも１つのアクチュエータ及び前記少なくとも１つの他のアクチュエータと動作可能に接続された制御装置であって、しわパラメータを参照して前記少なくとも１つのアクチュエータを操作して前記第１のローラの第１の端及び第２の端に第１の圧力をかけ、前記少なくとも１つの他のアクチュエータを操作して前記少なくとも１つの他の回転ローラに第２の圧力をかけるよう設定され、前記しわパラメータが縦のしわを示すことに応じ前記第２の圧力が前記第１の圧力よりも大きく設定され、前記しわパラメータが横のしわを示すことに応じ前記第２の圧力が前記第１の圧力よりも小さく設定される、制御装置と、
を含む交換可能ユニット。
【請求項２０】
前記少なくとも１つの他の回転ローラが、前記第１のローラの第１の端と、第２の端との間のほぼ中間の位置に配置される、請求項１９に記載の交換可能ユニット。
【請求項２１】
前記少なくとも１つの他の回転ローラが、前記第１のローラに圧力をかけるよう配置される少なくとも２つの他の回転ローラであり、前記少なくとも２つの他の回転ローラはそれぞれ、前記第１のローラの前記円筒体の外周上の異なる位置に配置される、請求項１９に記載の交換可能ユニット。
【請求項２２】
前記少なくとも１つの回転ローラは、前記第１のローラの前記円筒体内に配置され、前記第１のローラの前記円筒体の内側面に圧力をかけるようよう設定される、請求項１９に記載の交換可能ユニット。